(57)【要約】【課題】引掛シーリング自体で照明が可能で、且つ、引掛シーリングに照明器具が接続された場合は照明器具と引掛シーリングの両方で照明が行える引掛シーリングを提供する。【解決手段】引掛シーリング１は、施工面に露設され下面にそれぞれ弧状に開口する一対の引掛栓刃挿入口１９を有した器体１１と、器体１１に設けられ施工面側から直流供給線路Ｗｄｃが接続される一対の電源接続用端子２ａと、各引掛栓刃挿入口１９に対応する部位で器体の内部にそれぞれ配設されるとともに電源接続用端子２ａに各別に電気的に接続され、引掛栓刃挿入口１９の一端部から挿入された引掛キャップ４０の引掛栓刃４１が引掛栓刃挿入口１９の他端部に移動したときに引掛栓刃４１を引掛保持する引掛栓刃受部２２と、器体１１に露設されたＬＥＤ４と、電源接続用端子２ａを介して入力される直流電力によりＬＥＤ４を点灯させるＬＥＤ点灯回路５とを備える。【選択図】図１
2009158300.tif 000002
【特許請求の範囲】
【請求項１】
直流電力の供給を受けて動作する直流機器の引掛キャップが着脱自在に接続され、外部から供給された直流電力を引掛キャップを介して直流機器に供給する引掛シーリングであって、施工面に露設され施工面側とは異なる面にそれぞれ弧状に開口する複数個の引掛栓刃挿入口を有した器体と、器体に設けられ施工面側からの直流電源の給電線が接続される複数個の電源接続用端子と、各引掛栓刃挿入口に対応する部位で器体内にそれぞれ配設されるとともに電源接続用端子に各別に電気的に接続され引掛栓刃挿入口の一端部から挿入された引掛キャップの引掛栓刃が引掛栓刃挿入口の他端部に移動したときに引掛栓刃を引掛保持する引掛栓刃受部と、器体において施工面から露出する部位に設けられ前記複数の電源接続用端子を介して入力される直流電力により点灯される発光部とを備えたことを特徴とする引掛シーリング。
【請求項２】
前記直流電源の停電を検知する停電検知部と、前記電源接続用端子を介して入力される直流電力により充電される二次電池を有し停電検知部が停電を検知すると二次電池から前記発光部に直流電力を供給するバックアップ電源部とを備えたことを特徴とする請求項１記載の引掛シーリング。
【請求項３】
前記電源接続用端子と前記引掛栓刃受部との間に外部スイッチを接続するためのスイッチ接続用端子を備え、前記停電検知部が、スイッチ接続用端子よりも上流側の検出点で停電を検知することを特徴とする請求項２記載の引掛シーリング。
【請求項４】
前記二次電池と前記発光部との間の電路に設けられた第１のスイッチと、前記停電検知部が停電を検知していない状態では第１のスイッチを開極させるとともに、停電検知部が停電を検知すると第１のスイッチを閉極させる開閉制御部とを備えたことを特徴とする請求項１乃至３の何れか１項に記載の引掛シーリング。
【請求項５】
前記二次電池と前記引掛栓刃受部との間の電路に設けられた第２のスイッチと、前記停電検知部が停電を検知していない状態では第２のスイッチを閉極させるとともに、停電検知部が停電を検知すると第２のスイッチを開極させる開閉制御部とを備えたことを特徴とする請求項１乃至４の何れか１項に記載の引掛シーリング。
【請求項６】
前記器体は上面を天井面に当接させた状態で取着され、前記器体の側面に光軸を側方に向けて前記発光部が設けられたことを特徴とする請求項１乃至５の何れか１項に記載の引掛シーリング。
【請求項７】
前記器体は天井面に取着され、器体の下面において引掛栓刃受部に接続される引掛キャップの周りの部位に、光軸を下方に向けて前記発光部が設けられたことを特徴とする請求項１乃至５の何れか１項に記載の引掛シーリング。
【請求項８】
周囲の明るさを検知する明るさセンサと、明るさセンサの検知した明るさが所定の基準値よりも明るい場合は前記発光部を消灯させる点灯制御部とを備えたことを特徴とする請求項１乃至７の何れか１項に記載の引掛シーリング。
【請求項９】
前記引掛栓刃受部に直付け型の照明器具からなる直流機器が接続された場合に当該照明器具によって覆われる部位に前記明るさセンサが配置されたことを特徴とする請求項８記載の引掛シーリング。
【発明の詳細な説明】
【技術分野】
【０００１】
本発明は、引掛シーリングに関するものである。
【背景技術】
【０００２】
従来、天井面等の施工面に取り付けられるとともに、照明器具の引掛キャップが着脱自在に接続され、引掛キャップを介して照明器具に交流電力を供給する引掛シーリングが提供されている（例えば特許文献１参照）。
【０００３】
この引掛シーリングは施工面に露設される器体を備え、器体の室内側の面には弧状に開口する複数個の引掛栓刃挿入口が形成されている。また器体には施工面側からの電線が接続される複数個の電源接続用端子が設けられるとともに、器体内部の各引掛栓刃挿入口に対応する部位には、電源接続用端子に各別に電気的に接続され、引掛栓刃挿入口の一端部から挿入された引掛キャップの引掛栓刃が引掛栓刃挿入口の他端部に移動したときに引掛栓刃を引掛保持する引掛栓刃受部が収納されている。
【０００４】
ところで近年、住宅への燃料電池や太陽光発電設備の導入が進みつつあり、このような住宅においては、燃料電池や太陽光発電設備により発電された直流電力を、分岐ブレーカを介して各部屋に設置された引掛シーリングに供給し、この引掛シーリングに、直流電力の供給を受けて動作する照明器具を接続して使用する直流配電システムの導入が検討されている。
【特許文献１】特開２００１−３５５８５号公報
【発明の開示】
【発明が解決しようとする課題】
【０００５】
上述の引掛シーリングでは、引掛シーリング自体には発光手段が設けられていないため、照明器具が接続されていなければ、室内の照明を行うことができなかった。
【０００６】
本発明は上記問題点に鑑みて為されたものであり、その目的とするところは、引掛シーリング自体で照明が行えるとともに、引掛シーリングに照明器具が接続された場合には照明器具と引掛シーリングとで照明が行える引掛シーリングを提供することにある。
【課題を解決するための手段】
【０００７】
上記目的を達成するために、請求項１の発明は、直流電力の供給を受けて動作する直流機器の引掛キャップが着脱自在に接続され、外部から供給された直流電力を引掛キャップを介して直流機器に供給する引掛シーリングであって、施工面に露設され施工面側とは異なる面にそれぞれ弧状に開口する複数個の引掛栓刃挿入口を有した器体と、器体に設けられ施工面側からの直流電源の給電線が接続される複数個の電源接続用端子と、各引掛栓刃挿入口に対応する部位で器体内にそれぞれ配設されるとともに電源接続用端子に各別に電気的に接続され引掛栓刃挿入口の一端部から挿入された引掛キャップの引掛栓刃が引掛栓刃挿入口の他端部に移動したときに引掛栓刃を引掛保持する引掛栓刃受部と、器体において施工面から露出する部位に設けられ複数の電源接続用端子を介して入力される直流電力により点灯される発光部とを備えたことを特徴とする。
【０００８】
請求項２の発明は、請求項１の発明において、直流電源の停電を検知する停電検知部と、電源接続用端子を介して入力される直流電力により充電される二次電池を有し停電検知部が停電を検知すると二次電池から発光部に直流電力を供給するバックアップ電源部とを備えたことを特徴とする。
【０００９】
請求項３の発明は、請求項２の発明において、電源接続用端子と引掛栓刃受部との間に外部スイッチを接続するためのスイッチ接続用端子を備え、停電検知部が、スイッチ接続用端子よりも上流側の検出点で停電を検知することを特徴とする。
【００１０】
請求項４の発明は、請求項１乃至３の何れか１つの発明において、二次電池と発光部との間の電路に設けられた第１のスイッチと、停電検知部が停電を検知していない状態では第１のスイッチを開極させるとともに、停電検知部が停電を検知すると第１のスイッチを閉極させる開閉制御部とを備えたことを特徴とする。
【００１１】
請求項５の発明は、請求項１乃至４の何れか１つの発明において、二次電池と引掛栓刃受部との間の電路に設けられた第２のスイッチと、停電検知部が停電を検知していない状態では第２のスイッチを閉極させるとともに、停電検知部が停電を検知すると第２のスイッチを開極させる開閉制御部とを備えたことを特徴とする。
【００１２】
請求項６の発明は、請求項１乃至５の何れか１つの発明において、器体は上面を天井面に当接させた状態で取着され、器体の側面に光軸を側方に向けて発光部が設けられたことを特徴とする。
【００１３】
請求項７の発明は、請求項１乃至５の何れか１つの発明において、器体は天井面に取着され、器体の下面において引掛栓刃受部に接続される引掛キャップの周りの部位に、光軸を下方に向けて発光部が設けられたことを特徴とする。
【００１４】
請求項８の発明は、請求項１乃至７の何れか１つの発明において、周囲の明るさを検知する明るさセンサと、明るさセンサの検知した明るさが所定の基準値よりも明るい場合は発光部を消灯させる点灯制御部とを備えたことを特徴とする。
【００１５】
請求項９の発明は、請求項８の発明において、引掛栓刃受部に直付け型の照明器具からなる直流機器が接続された場合に当該照明器具によって覆われる部位に明るさセンサが配置されたことを特徴とする。
【発明の効果】
【００１６】
請求項１の発明によれば、複数の電源接続用端子に施工面側からの給電線を介して直流電源が接続された場合には、電源接続用端子に供給される直流電力により発光部が点灯するので、引掛シーリング自体でも照明を行うことができ、また引掛栓刃受部に直流電力の供給を受けて動作する照明器具の引掛キャップが接続された場合には照明器具と引掛シーリングに設けた発光部とで照明を行うことができるという効果がある。
【００１７】
請求項２の発明によれば、停電検知部が直流電源の停電を検知すると、バックアップ電源部の二次電池から発光部に直流電力が供給されて、発光部が点灯するので、引掛シーリングに非常灯としての機能を付加することができるという効果がある。
【００１８】
請求項３の発明によれば、停電検知部がスイッチ接続用端子よりも上流側の検出点で停電を検知しているので、スイッチ接続用端子に接続された外部スイッチにより引掛シーリングへの電圧供給が停止させられた場合でも停電の発生を検出して、光源を点灯させることができる。
【００１９】
請求項４の発明によれば、非停電時には開閉制御部が第１のスイッチを開極させ、且つ、停電検知時には開閉制御部が第１のスイッチを閉極させているので、停電時のみ発光部を点灯させることができる。
【００２０】
請求項５の発明によれば、停電時には開閉制御部が第２のスイッチを開極させているので、二次電池から引掛栓刃受部に接続された直流機器に電力が供給されるのを防止することができる。
【００２１】
請求項６の発明によれば、発光部が天井面を照らすことで天井面を明るくでき、避難などを容易にすることができる。
【００２２】
請求項７の発明によれば、発光部が下方を照らすことで床面を明るくでき、避難などを容易にすることができる。
【００２３】
請求項８の発明によれば、周囲の明るさが基準値よりも明るい場合には点灯制御部が発光部を消灯させるので、二次電池の消耗を抑制することができ、その結果二次電池に容量の小さいものを使用することができる。
【００２４】
請求項９の発明によれば、直付け型の照明器具からなる直流機器を引掛シーリングに接続すると、この照明器具によって明るさセンサが覆われるから、明るさセンサにより検出される明るさが基準値よりも暗くなり、実際の周囲の明るさに関係なく発光部を点灯させることができる。
【発明を実施するための最良の形態】
【００２５】
以下に本発明の実施の形態を図面に基づいて説明する。
【００２６】
（実施形態１）
本発明の実施形態１を図１〜図５に基づいて説明する。本実施形態の引掛シーリングは施工面としての天井面に設置されるものであって、直流電力の供給を受けて動作する直流機器の引掛キャップが着脱自在に接続され、外部から供給された直流電力を引掛キャップを介して直流機器に供給するものである。
【００２７】
図１（ａ）は本実施形態の引掛シーリング１を用いる配電システムの要部を示した概略のシステム構成図であり、住宅内に設置された分電盤１１０内の直流ブレーカ１１４から分岐した直流供給線路Ｗｄｃに引掛シーリング１が接続されている。
【００２８】
引掛シーリング１は、図１（ａ）（ｂ）に示すように施工面側からの直流供給線路Ｗｄｃが接続される電源接続用端子２ａと、送り配線用の端子２ｂと、直流機器１０２が備える引掛キャップ４０に設けた一対の引掛栓刃４１と引掛係止する引掛栓刃受部２２を具備して、引掛キャップ４０が着脱自在に接続される引掛接続部３と、施工面から露出する部位に設けられた発光部としての発光ダイオード（ＬＥＤ）４と、電源接続用端子２ａを介して入力される直流電力によりＬＥＤ４を点灯させるＬＥＤ点灯回路５とを備えている。
【００２９】
この引掛シーリング１では、電源接続用端子２ａに直流供給線路Ｗｄｃが接続され、直流供給線路Ｗｄｃを介して直流電力が供給されると、ＬＥＤ点灯回路５がＬＥＤ４を点灯させるので、引掛シーリング１自体でも照明を行うことができ、またＬＥＤ４の点灯又は消灯から直流電力が供給されているか否かを判別することができる。また引掛接続部３に直流機器１０２の引掛キャップ４０が接続されると、引掛接続部３を介して直流機器１０２に直流電力が供給されるので、直流機器１０２が直流電力の供給を受けて動作する。なお引掛シーリング１に照明器具型の直流機器１０２，１０２’が接続された場合には、引掛シーリング１のＬＥＤ４と、照明器具型の直流機器１０２，１０２’との両方で照明を行うことができる。
【００３０】
ところで、本実施形態の引掛シーリング１は、図２および図３に示すように上面が開口した有底円筒状であって、上面を天井面に当接させた形で施工される器体１１と、器体１１の上面側から器体１１内に挿入される円板状の端子カバー１２とを備える。器体１１および端子カバー１２は熱硬化性樹脂であるメラミンフェノール樹脂ないしポリエステル樹脂の成形品であって難燃性を有している。
【００３１】
器体１１と端子カバー１２とはタッピンねじである組立ねじ１３により結合される。端子カバー１２の周部の２箇所には切欠１２ａが形成され、器体１１の周部内側面に設けた筒部１１ａに切欠１２ａが嵌合することによって器体１１と端子カバー１２とが位置決めされるようになっている。
【００３２】
器体１１の底壁内側面には一対の立壁１４が突設され、立壁１４の上に端子カバー１２を載置した状態で端子カバー１２を通して組立ねじ１３を立壁１４の穴１４ａにねじ込むことにより器体１１と端子カバー１２とが結合される。ここで、立壁１４の上に端子カバー１２を載置したときに、器体１１の上面よりも端子カバー１２の上面のほうが下方に位置するように、器体１１と端子カバー１２と立壁１４との寸法関係が設定されている。
【００３３】
器体１１の周壁内周面の２箇所には筒部１１ａが形成され、筒部１１ａには器体１１を上下に貫通する挿入孔１５が形成されている。挿入孔１５には器体１１の下面側から固定ねじ（図示せず）が挿入され、この固定ねじの上端部を天井面に螺入することによって、器体１１を天井面に固定することができる。
【００３４】
器体１１の内部は、器体１１底壁内側面に突設された仕切壁１６によって２分されている。仕切壁１６の長手方向中央部には受け片１６ａが両側方へ向かって突設されるとともに、仕切壁１６の長手方向両端部に支持リブ１６ｂが両側方へ向かって突設されている。さらに、器体１１の底壁内側面には支持リブ１６ｂに対して仕切壁１６の反対側に突台１８が突設されている。
【００３５】
器体１１の内部は仕切壁１６によって２つの収納室に仕切られており、各収納室１７に対応する部位において器体１１の底壁の周部には図３に示す引掛キャップ４０の引掛栓刃４１、４１が挿入されるほぼ円弧状の引掛栓刃挿入口１９、１９がそれぞれ１個ずつ開口している。両引掛栓刃挿入口１９，１９は、器体１１の底壁の中心を中心とする円周上に形成されている。各引掛栓刃挿入口１９は、図３に示す向きにおいて引掛キャップ４０を左回りに回転させたときの一端側に、他の部位よりも幅広の幅広部１９ａを備えている。尚、幅広部１９ａは他の部位である幅狭部１９ｂに対して、内向きに突出する形で引掛栓刃挿入口１９の幅を広げている。そして、側面視Ｌ字形に形成された引掛栓刃４１を引掛栓刃挿入口１９に挿入する際には、引掛栓刃４１を先ず幅広部１９ａから引掛栓刃挿入口１９に挿入した後、図３における右回りに回転させ、引掛栓刃４１の先端部を引掛栓刃挿入口１９の幅狭部１９ｂの周縁に重複させる。引掛栓刃挿入口１９の幅狭部１９ｂには引掛栓刃受部２２が対応して設けられている。ここにおいて引掛栓刃挿入口１９と引掛栓刃受部２２とで上述の引掛接続部３が構成され、引掛栓刃挿入口１９，１９の形状および寸法は交流電源用の引掛シーリングとは異なる形状および寸法に設定されている。また引掛栓刃挿入口１９，１９の一方は正極用、他方は負極用であり、極性を誤って引掛栓刃が挿入されないように、正極用の引掛栓刃挿入口１９と負極用の引掛栓刃挿入口１９とは、底壁の中心に対して非対称な形状に形成することが好ましい。
【００３６】
引掛栓刃受部２２は板金により形成されたものであり、引掛栓刃４１の先端部を挟持する刃受ばね２２ａを有し、刃受ばね２２ａが引掛栓刃挿入口１９に沿って配置されている。また刃受ばね２２ａにおいて引掛栓刃挿入口１９の幅広部１９ａに臨む先部は、引掛栓刃４１が刃受ばね２２ａに乗り上げ易くするために、先端側から登り傾斜面となっている。而して引掛栓刃４１の先端部が幅狭部１９ｂに導入されると、引掛栓刃４１の先端部が刃受ばね２２ａの上り傾斜面に乗り上げ、刃受ばね２２ａによって引掛保持されるのである。なお引掛栓刃受部２２において刃受ばね２２ａの先端部より延長される部位は器体１１の底面との間で隙間があり、引掛栓刃４１の先端部と、引掛キャップ４０のボディとの間に刃受ばね２２ａと器体１１の底壁とが介在する際に刃受ばね２２ａの上向きばね弾性に抗しながら引掛栓刃４１の先端部が刃受ばね２２ａに弾接するようになっている。
【００３７】
また器体１１の各収納室には、施工面側から直流電源の給電線が接続される一対の端子金具２０が収納されている。端子金具２０は板金により形成されたものであり、器体１１の底壁内側面に立設された形で配置される。なお端子金具２０は、支持リブ１６ｂに当接する一対の端子板２０ａと、両端子板２０ａの片側縁間を連結する連結片２０ｂとによりコ字形に形成されている。そして、各収納室において受け片１６ａと端子板２０ａとの間には鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子板２０ａに対向するように配置される。
【００３８】
ここで、施工面側から直流電源の給電線（電源線）を電源接続用端子２ａに接続する際に、端子カバー１２に形成した電線挿入口３３を通して鎖錠片３２ｂ側から電源線を導入すれば、接触片３２ａおよび鎖錠片３２ｂと端子板２０ａとの間に電源線の芯線を挟持することができ、このとき接触片３２ａが電源線の芯線に接触して電気的接続状態を確保し、鎖錠片３２ｂの先端縁が電源線の芯線に食い込んで電源線を抜けないように保持する。ここにおいて端子金具２０の端子板２０ａと鎖錠ばね３２とを用いたいわゆる速結端子構造の端子により上述の端子２ａ，２ｂが構成される。
【００３９】
ところで、端子板２０ａと鎖錠ばね３２とを用いて保持した電源線を取り外すために、器体１１内には解除釦３１が配置される。解除釦３１は、端子カバー１２に設けた切欠よりなる操作用開口部１２ｂと突台１８の中央台１８ａとの間に露出する操作部３１ａを備え、操作部３１ａの両端部には一対の鎖錠ばね３２の鎖錠片３２ｂの一部にそれぞれ当接する一対の押圧片３１ｂを備えている。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子金具２０に設けた挿入用切欠２０ｃを通して進退する。
【００４０】
而して、電源線を保持した状態で、操作用開口部１２ｂと中央台１８ａとに囲まれた部位にマイナスドライバ等の治具の先端部などを挿入し、操作部３１ａを押せば、押圧片３１ｂが一対の鎖錠片３２ｂを端子板２０ａから引き離す向きに撓ませるから、鎖錠片３２ｂが電源線から外れ、電源線をそのまま引き抜くことができる。ここで、解除釦３１は両端子金具２０に跨がる形で配置されており、異極の２個の鎖錠ばね３２の鎖錠片３２ｂを同時に撓ませるから、１個の解除釦３１で２本の電源線を同時に外すことが可能であり、操作性がよい。
【００４１】
また器体１１には両収納室に跨る形で、図１（ｂ）に示す回路が形成されたプリント配線板（図示せず）を収納してあり、プリント配線板には端子金具２０と引掛栓刃受部２２とが半田付けされている。なお、ＬＥＤ４は、天井面と平行な方向に光軸を向けた状態でプリント配線板に実装されており、器体１１の側周面に貫設した開口孔１１ｂにＬＥＤ４を臨ませてプリント配線板が収納されている。
【００４２】
本実施形態の引掛シーリング１は、天井面に器体１１の上面を当接させた形で挿入孔１５を通して天井面に螺入する固定ねじ（図示せず）を用いて固定されるのであって、天井面に電源線（直流供給線路Ｗｄｃ）を通すための通し孔を形成するだけで容易に施工設置することができる。また図２および図３に示すように、ＬＥＤ４は光軸を側方（天井面とほぼ平行な方向）に向けた状態で器体１１の側周面に配設されているので、図５（ａ）に示すようにＬＥＤ４からの照射光Ａ１を周方向に配光して、天井面２０１を明るく照らすことができる。
【００４３】
なお図２および図３に示した引掛シーリング１は、器体１１の上面を天井面に当接させた状態で施工される露出型のものであるが、図４に示すように天井面に設けた埋込孔（図示せず）に器体１１の上部を埋設した状態で施工される埋込型のものでも良い。埋込型の引掛シーリング１では、器体１１の下面において引掛接続部３に接続される引掛キャップの周りの部位に開口孔１１ｂが形成され、器体１１の内部にはＬＥＤ４が開口孔１１ｂに臨む位置に光軸を下方に向けた状態で配設されているので、図５（ｂ）に示すようにＬＥＤ４からの照射光Ａ２を下方向に配光して、床面を明るく照明することができる。
【００４４】
（実施形態２）
本発明の実施形態２を図６および図７に基づいて説明する。なお、実施形態１で説明した引掛シーリング１と共通する構成要素には同一の符号を付してその説明は省略する。
【００４５】
本実施形態の引掛シーリング１は、図６（ａ）（ｂ）に示すように施工面側からの直流供給線路Ｗｄｃが接続される電源接続用端子２ａと、電源接続用端子２ａの一方の端子とこの端子に対応する引掛栓刃受部２２との間に外部スイッチ５０を接続するためのスイッチ接続用端子２ｃと、直流機器１０２が備える引掛キャップ４０に設けた一対の引掛栓刃４１と引掛係止する引掛栓刃受部２２を具備して、引掛キャップ４０が着脱自在に接続される引掛接続部３と、施工面から露出する部位に設けられたＬＥＤ４と、電源接続用端子２ａを介して入力される直流電力によりＬＥＤ４を点灯させるＬＥＤ点灯回路５と、電源接続用端子２ａの入力電圧と所定の基準電圧との高低を比較することによって直流電源の停電を検知する停電検知回路６（停電検知部）と、フォトダイオードのような受光素子を備えて周囲の明るさを検知する明るさセンサ回路７と、明るさ検知機能を入／切するための入／切スイッチ８と、通電時には電源接続用端子２ａに入力される直流電力によって二次電池Ｂを充電するとともに、停電時には二次電池Ｂを放電させてＬＥＤ点灯回路５に電力を供給する充放電回路９と、電源接続用端子２ａの一方の端子と一方の引掛栓刃受部２２との間に接続されたスイッチＳＷ１と、停電検知回路６および明るさセンサ回路７の検出結果に基づいて、スイッチＳＷ１のオン／オフや充放電回路９の動作を制御する制御回路１０とを備えている。なお二次電池Ｂは、充放電回路９によって電源接続用端子２ａに入力される直流電圧と略同じ電圧まで充電され、直流電源の停電時には停電検知回路６、明るさセンサ回路７、充放電回路９および制御回路１０は二次電池Ｂを電源として動作するようになっている。ここにおいて、充放電回路９とその動作を制御する制御回路１０とで、停電検知回路６が停電を検知すると二次電池Ｂから発光部（ＬＥＤ点灯回路５およびＬＥＤ６からなる）に直流電力を供給するバックアップ電源部が構成される。
【００４６】
本実施形態の引掛シーリング１は、図７（ａ）に示すように上面を天井面に当接させた状態で天井面に取着される露出型のものであって、実施形態１で説明した図２および図３に示すものと、同様の構成を有しているので、共通する構成要素には同一の符号を付して、その説明は省略する。
【００４７】
この引掛シーリング１では、器体１１の内部に収納されるプリント配線板に、明るさセンサ回路７が備える受光素子および入／切スイッチ８が、プリント配線板における器体１１底壁との対向面に実装されており、器体１１の底壁に設けた透光窓１１ｃに臨ませて受光素子の受光部が配置されるとともに、入／切スイッチ８の操作摘み８ａが器体１１の底壁に設けた操作孔１１ｄ内に配置されている。また上述の実施形態１では一対の端子板２０ａを連結片２０ｂにより連結して一体に形成しているが、本実施形態では鎖錠ばね３２と共に速結端子構造の端子を構成する４個の端子板２０ａがそれぞれ別体に形成され、各端子板２０ａが上述のプリント配線板に電気的に接続されている。そして、電源接続用端子２ａを構成する２個の端子板２０ａのうち、一方の端子板２０ａがスイッチＳＷ１を介して一方の引掛栓刃受部２２に接続されるとともに、他方の端子板２０ａがスイッチ接続用端子２ｃを構成する一方の端子板２０ａに電気的に接続されている。またスイッチ接続用端子２ｃを構成する他方の端子板２０ａは、他方の引掛栓刃受部２２に電気的に接続されている。
【００４８】
次に、本実施形態の引掛シーリング１の動作について説明する。なお引掛シーリング１の引掛接続部３には照明型の直流機器１０２の引掛キャップ４０が接続されているものとする。また入／切スイッチ８により明るさ検知機能がオフになっているものとする。
【００４９】
直流電源の通電中は外部スイッチ５０がオンになっている状態では、引掛シーリング１の引掛接続部３およびＬＥＤ点灯回路５に直流電力が供給されるので、引掛接続部３に接続された照明型の直流機器１０２が点灯するとともに、ＬＥＤ点灯回路５がＬＥＤ４を点灯させる。なお停電検知回路６はスイッチ接続用端子２ｃよりも上流側の検出点の電圧から停電を検知しており、停電検知回路６が停電を検知していない場合、制御回路１０はスイッチＳＷ１を閉極させて、引掛接続部３およびＬＥＤ点灯回路５に直流電力を供給させるとともに、充放電回路９によって二次電池Ｂの充電を行わせている。
【００５０】
また直流電源の通電中に外部スイッチ５０がオフされると、引掛シーリング１およびＬＥＤ点灯回路５に直流電力が供給されなくなるので、引掛接続部３に接続された照明型の直流機器１０２およびＬＥＤ４が消灯する。ここで、停電検知回路６はスイッチ接続用端子２ｃよりも上流側の検出点の電圧から停電を検知しており、外部スイッチ５０がオフされても、直流電源の通電状態を検知できるので、充放電回路９により二次電池Ｂの放電を開始させることはなく、ＬＥＤ４や照明型の直流機器１０２を消灯させている。
【００５１】
一方、直流電源の停電などにより直流供給線路Ｗｄｃを介して直流電源が供給されなくなると、外部スイッチ５０のオン／オフに関係無く、検出点の電圧が０Ｖとなって（基準電圧よりも低下して）、停電検知回路６により停電が検知されるので、制御回路１０が、停電検知回路６からの検知入力に基づいて、スイッチＳＷ１を開極させるとともに、充放電回路９により二次電池Ｂの放電を開始させる。この時、通電時に充電された電荷が二次電池Ｂから放出され、ＬＥＤ点灯回路５に直流電力が供給されて、ＬＥＤ４が点灯するので、引掛シーリング１自体を非常灯として使用することができる。また停電発生時には二次電池Ｂから引掛接続部３に直流電力が供給されるので、引掛接続部３に照明型の直流機器１０２が接続されている場合は、この直流機器１０２を点灯させることができ、引掛接続部３に接続された直流機器１０２を非常灯として使用することもできる。
【００５２】
ここで、入／切スイッチ８により明るさ検知機能がオフになっている場合、制御回路１０では、周囲の明るさの明暗に関係なく、停電が発生すると二次電池Ｂから引掛接続部３およびＬＥＤ点灯回路５へ電源を供給させているが、入／切スイッチ８により明るさ検知機能がオンに設定されると、点灯制御部としての制御回路１０は、停電発生時に明るさセンサ回路７が検知した周囲の明るさが所定の基準値よりも暗くなった場合のみ、充放電回路９により二次電池Ｂの放電を開始させ、二次電池Ｂを電源として、ＬＥＤ点灯回路５によりＬＥＤ４を点灯させるとともに、引掛接続部３に接続された直流機器１０２を点灯させる。したがって、周囲の明るさが基準値よりも明るい場合にはＬＥＤ４や引掛接続部３に接続された直流機器１０２が点灯することはなく、二次電池Ｂの消耗を抑制して、電池寿命を延ばすことができるとともに、二次電池Ｂに容量の小さいものを使用することができる。
【００５３】
以上説明したように本実施形態では、電源接続用端子２ａの一方の端子と、当該電源接続用端子２ａに対応する一方の引掛栓刃受部２２との間に外部スイッチ５０を接続するためのスイッチ接続用端子２ｃを備え、停電検知回路６がスイッチ接続用端子２ｃよりも上流側の検出点の電圧から停電の有無を検出しているので、スイッチ接続用端子２ｃに接続された外部スイッチ５０がオフされて引掛接続部３への直流電力の供給が遮断された場合でも停電の発生を確実に検出して、ＬＥＤ４や引掛接続部３に接続された照明型の直流機器１０２を点灯させ、非常灯として動作させることができる。
【００５４】
なお明るさセンサ回路７の受光部は、引掛接続部３に天井直付け型（シーリング型）の照明器具１０２’が接続された場合に、当該照明器具１０２’によって覆われる部位に配置されている。したがって、引掛接続部３に天井直付け型の照明器具１０２’が接続されると、明るさセンサ回路７により検出される明るさが基準値よりも暗くなるから、停電検知回路６が停電を検知した場合には周囲の明るさに関係なく、ＬＥＤ４や引掛接続部３に接続された照明器具１０２’を点灯させることができる。
【００５５】
（実施形態３）
本発明の実施形態３を図８に基づいて説明する。本実施形態では、上述した実施形態２の引掛シーリング１において、スイッチＳＷ１と引掛栓刃受部２２との間にスイッチＳＷ２（第２のスイッチ）を接続して、スイッチＳＷ１，ＳＷ２の接続点を充放電回路９の一方の入出力端に接続するとともに、充放電回路９とＬＥＤ点灯回路５との間にスイッチＳＷ３（第１のスイッチ）を接続しており、開閉制御部としての制御回路１０がスイッチＳＷ１〜ＳＷ３のオン／オフを制御している。なおスイッチＳＷ２，ＳＷ３以外の構成は実施形態２で説明した引掛シーリング１と同様であるので、共通する構成要素には同一の符号を付して、その説明は省略する。
【００５６】
以下に本実施形態の引掛シーリング１の動作について説明する。なお引掛シーリング１の引掛接続部３には照明型の直流機器１０２の引掛キャップ４０が接続されているものとする。また入／切スイッチ８により明るさ検知機能がオフになっているものとする。
【００５７】
停電検知回路６はスイッチ接続用端子２ｃよりも上流側の検出点の電圧を所定の基準電圧とを比較することによって停電の有無を検知しており、通電時（停電検知回路６が停電を検知していない場合）には、制御回路１０がスイッチＳＷ１，ＳＷ２を閉極させるとともに、スイッチＳＷ３を開極させている。したがって、通電時に外部スイッチ５０がオンされていれば、引掛接続部３を介して照明型の直流機器１０２に直流電力が供給されて、直流機器１０２を点灯させるとともに、充放電回路９によって二次電池Ｂの充電が行われる。また、ＬＥＤ点灯回路５への電力供給は遮断されているので、ＬＥＤ４は消灯する。
【００５８】
また通電中に外部スイッチ５０がオフされると、引掛接続部３に直流電力が供給されなくなるので、引掛接続部３に接続された照明型の直流機器１０２が消灯する。ここで、停電検知回路６はスイッチ接続用端子２ｃよりも上流側の検出点の電圧から停電を検知しており、外部スイッチ５０がオフされても、直流電源の通電状態を検知できるので、制御回路１０では、スイッチＳＷ１，ＳＷ２を閉極させるとともに、スイッチＳＷ３を開極させている。したがって、通電時に外部スイッチ５０がオフされたとしても、充放電回路９が二次電池Ｂの放電を開始させることはなく、ＬＥＤ４や照明型の直流機器１０２を消灯させている。
【００５９】
一方、直流電源の停電などにより直流供給線路Ｗｄｃを介して直流電源が供給されなくなると、外部スイッチ５０のオン／オフに関係無く、検出点の電圧が０Ｖとなって（基準電圧よりも低下して）、停電検知回路６により停電が検知されるので、制御回路１０が、停電検知回路６からの検知入力に基づいて、スイッチＳＷ１，ＳＷ２を開極させるとともに、スイッチＳＷ３を閉極させ、さらに充放電回路９により二次電池Ｂの放電を開始させる。この時、通電時に充電された電荷が二次電池Ｂから放出され、ＬＥＤ点灯回路５に直流電力が供給されて、ＬＥＤ４が点灯するので、引掛シーリング１自体を非常灯として使用することができる。
【００６０】
ここで、入／切スイッチ８により明るさ検知機能がオフになっている場合、制御回路１０では、周囲の明るさの明暗に関係なく、停電が発生すると二次電池ＢからＬＥＤ点灯回路５へ電源を供給させているが、入／切スイッチ８により明るさ検知機能がオンに設定されると、停電発生時に明るさセンサ回路７が検知した周囲の明るさが、所定の基準値よりも暗くなった場合のみ、充放電回路９により二次電池Ｂの放電を開始させ、二次電池Ｂを電源として、ＬＥＤ点灯回路５によりＬＥＤ４を点灯させることができる。したがって、周囲の明るさが基準値よりも明るい場合にはＬＥＤ４が点灯することはなく、二次電池Ｂの消耗を抑制して、電池寿命を延ばすことができるとともに、二次電池Ｂに容量の小さいものを使用することができる。なお明るさセンサ回路７の受光部は、引掛接続部３に天井直付け型（シーリング型）の照明器具１０２’が接続された場合に、当該照明器具１０２’によって覆われる部位に配置されている。したがって、引掛接続部３に天井直付け型の照明器具１０２’が接続されると、明るさセンサ回路７により検出される明るさが基準値よりも暗くなるから、停電検知回路６が停電を検知した場合には周囲の明るさに関係なく、ＬＥＤ４や引掛接続部３に接続された照明器具１０２’を点灯させることができる。
【００６１】
以上説明したように本実施形態では、充放電回路９と引掛接続部３との間に、停電時に開極するスイッチＳＷ２を設けているので、二次電池Ｂから引掛接続部３に接続された直流機器１０２に直流電力が供給されるのを防止して、ＬＥＤ点灯回路５のみに直流電力を供給させることができるが、スイッチＳＷ２を無くしても良く、その場合は停電時に二次電池Ｂを電源として引掛接続部３に接続された直流機器１０２を動作させるとともに、ＬＥＤ点灯回路５によりＬＥＤ４を点灯させることができる。また通電時は制御回路１０によってスイッチＳＷ３が開極させられるので、停電時のみＬＥＤ点灯回路５によりＬＥＤ４を点灯させることができる。
ところで、上述の各実施形態で説明した引掛シーリング１は、以下に示す直流配電システムに用いられるものである。ここでは本発明を適用する建物として戸建て住宅の家屋を想定して説明するが、本発明の技術思想を集合住宅に適用することを妨げるものではない。家屋Ｈには、図９に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流供給線路Ｗｄｃ上で直流電力供給部１０１から直流機器１０２への給電を制限ないし遮断する直流ブレーカ１１４が設けられる。
【００６２】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００６３】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００６４】
図示例では、サブシステムとして、パーソナルコンピュータ、無線アクセスポイント、ルータ、ＩＰ電話機のような情報系の直流機器１０２からなる情報機器システムＫ１０１、照明器具のような照明系の直流機器１０２からなる照明システムＫ１０２，Ｋ１０５、来客対応や侵入者の監視などを行う直流機器１０２からなるインターホンシステムＫ１０３、火災感知器のような警報系の直流機器１０２からなる住警器システムＫ１０４などがある。各サブシステムは、自立分散システムを構成しており、サブシステム単独でも動作が可能になっている。
【００６５】
上述した直流ブレーカ１１４は、サブシステムに関連付けて設けられており、図示例では、情報機器システムＫ１０１、照明システムＫ１０２およびインターホンシステムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２とインターホンシステムＫ１０３との間に接続ボックス１２１が設けられている。
【００６６】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００６７】
照明システムＫ１０２、Ｋ１０５としては、家屋Ｈに先行配置される照明器具（直流機器１０２）からなる照明システムＫ１０２と、天井に先行配置される直流配電系の引掛シーリング１に接続する照明器具（直流機器１０２）からなる照明システムＫ１０５とが設けられる。引掛シーリング１には、家屋Ｈの内装施工時に施工業者が照明器具を取り付けるか、または家人自身が照明器具を取り付ける。
【００６８】
照明システムＫ１０２を構成する直流機器１０２である照明器具に対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具への指示には、点灯、消灯、調光、点滅点灯などがある。
【００６９】
上述した直流コンセント１３１、引掛シーリング１には、任意の直流機器１０２を接続することができ、接続された直流機器１０２に直流電力を出力するから、以下では直流コンセント１３１、引掛シーリング１を区別する必要がない場合には「直流アウトレット」と呼ぶ。
【００７０】
これらの直流アウトレットは、直流機器１０２に直接設けた接触子（図示せず）または接続線を介して設けた接触子（図示せず）が差し込まれる差込式の接続口が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００７１】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００７２】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００７３】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００７４】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００７５】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００７６】
また、宅内の機器において火災検知など通信端末に通知すべきイベントが生じたときには、宅内の機器からセンタサーバ２００に通知し、センタサーバ２００から通信端末に対して電子メールによる通知を行う。
【００７７】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００７８】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００７９】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具の点灯あるいは消灯の動作を行うことが可能になる。また、連動動作の関係付けはサブシステム内で行うことが多いが、サブシステムを超える関係付けも可能である。
【００８０】
ところで、直流電力供給部１０１は、基本的には、商用電源のように宅外から供給される交流電源ＡＣの電力変換により直流電力を生成する。図示する構成では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００８１】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００８２】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００８３】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００８４】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００８５】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器１０２に用いる通信信号と同様に直流電圧に重畳する形式で伝送する。
【００８６】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００８７】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【図面の簡単な説明】
【００８８】
【図１】（ａ）は実施形態１の引掛シーリングを用いた配電システムの要部を示す概略のシステム構成図、（ｂ）は同上の引掛シーリングの概略的なブロック図である。
【図２】同上の露出型の一形態を示す分解斜視図である。
【図３】同上の露出型の一形態を示す外観斜視図である。
【図４】同上の埋込型の一例を示す外観斜視図である。
【図５】（ａ）（ｂ）は同上の使用状態を説明する説明図である。
【図６】（ａ）は実施形態２の引掛シーリングを用いた制御システムの概略的なシステム構成図、（ｂ）は同上の引掛シーリングの概略的なブロック図である。
【図７】（ａ）は同上の露出型の一形態を示す外観斜視図、（ｂ）は同上の埋込型の一形態を示す外観斜視図である。
【図８】実施形態３の引掛シーリングの概略的なブロック図である。
【図９】各実施形態の引掛シーリングを用いる直流配電システムのシステム構成図である。
【符号の説明】
【００８９】
１  引掛シーリング
２ａ  電源接続用端子
４  ＬＥＤ
５  ＬＥＤ点灯回路
１１  器体
１９  引掛栓刃挿入口
２２  引掛栓刃受部
４０  引掛キャップ
４１  引掛栓刃
Ｗｄｃ  直流供給線路
【図１】
2009158300.tif 000003
【図２】
2009158300.tif 000004
【図３】
2009158300.tif 000005
【図４】
2009158300.tif 000006
【図５】
2009158300.tif 000007
【図６】
2009158300.tif 000008
【図７】
2009158300.tif 000009
【図８】
2009158300.tif 000010
【図９】
2009158300.tif 000011